(57)【要約】【課題】  床をバリアフリーにすることができる吊り引戸の振止め装置であって、取付の簡単な吊り引戸の振止め装置を提供する。【解決手段】  吊り引戸１の下面側の、引戸開閉方向Ｂ中間部に取り付けられる係合部材１０と、この係合部材１０が開閉方向Ｂに移動自在に係合するように引戸開閉方向Ｂに沿って形成された被係合溝２５を有していて吊り引戸１の出入り方向Ｃの横振れを規制し且つ吊り引戸１が開位置にあるときにおいて吊り引戸１の下方側に配置される振止め部材１１と、開位置における吊り引戸１の閉方向Ｄ前端側の下方に配置されて床８に取付固定され且つ前記振止め部材１１を引戸開閉方向Ｂに移動自在に支持する支持部材１２とから振止め装置を構成する。【選択図】図１
2007107277.tif 000002
【特許請求の範囲】
【請求項１】
上部が開閉方向（Ｂ）に移動自在に支持された吊り引戸の振止め装置であって、
吊り引戸（１）の下面側の、引戸開閉方向（Ｂ）中途部に取り付けられる係合部材（１０）と、この係合部材（１０）が係合する被係合溝（２５）を有していて吊り引戸（１）の出入り方向（Ｃ）の横振れを規制する振止め部材（１１）と、開位置における吊り引戸（１）の閉方向（Ｄ）前端側の下方に配置されて床（８）に取付固定され且つ前記振止め部材（１１）を引戸開閉方向（Ｂ）に移動自在に支持する支持部材（１２）とを備え、
前記被係合溝（２５）は係合部材（１０）が引戸開閉方向（Ｂ）に移動自在に係合するように引戸開閉方向（Ｂ）に沿って形成されており、吊り引戸（１）が開位置にあるときにおいて振止め部材（１１）は吊り引戸（１）の下方側に位置しており、
吊り引戸（１）を閉める際には、係合部材（１０）が被係合溝（２５）内を引戸閉方向（Ｄ）に移動すると共に該係合部材（１０）が被係合溝（２５）の引戸閉方向（Ｄ）の端部に至ると振止め部材（１１）が吊り引戸（１）と一体移動し、
吊り引戸（１）を開ける際には、係合部材（１０）が被係合溝（２５）内を引戸開方向（Ｅ）に移動すると共に該係合部材（１０）が被係合溝（２５）の引戸開方向（Ｅ）の端部に至ると振止め部材（１１）が吊り引戸（１）と一体移動するように構成されていることを特徴とする吊り引戸の振止め装置。
【請求項２】
支持部材（１２）に、振止め部材（１１）を引戸開閉方向（Ｂ）に移動自在に挿通させる挿通溝（４０）が形成されていて、支持部材（１２）と振止め部材（１１）と被係合溝（２５）とが引戸開閉方向（Ｂ）に直交する水平方向でオーバーラップするように構成されていることを特徴とする請求項１に記載の吊り引戸の振止め装置。
【請求項３】
振止め部材（１１）は、支持部材（１２）に形成された挿通溝（４０）に引戸開閉方向（Ｂ）に移動自在に挿通されるレール部材（２３）と、このレール部材（２３）の引戸開閉方向（Ｂ）の各端部にそれぞれ設けられた端具（２４Ａ，２４Ｂ）とから構成され、吊り引戸（１）の開位置又は閉位置において端具が（２４Ａ，２４Ｂ）支持部材（１２）に接当することでレール部材（２３）の移動が規制されるように構成されていることを特徴とする請求項１又は２に記載の吊り引戸の振止め装置。
【発明の詳細な説明】
【技術分野】
【０００１】
本発明は、吊り引戸の振止め装置に関するものである。
【背景技術】
【０００２】
従来、水平方向に移動して建物の出入り口を開閉する引戸として、該引戸の上部が、出入り口を囲む開口枠の上部に開閉方向移動自在に支持された吊り引戸がある。
この吊り引戸にあっては、床面をバリアフリーにすることができるという利点がある反面、該吊り引戸の下部側をガイド及びサポートするものがないので、該吊り引戸の下部側が出入り口の開口面に直交する方向である出入り方向に振れ動くという欠点がある。
この吊り引戸の出入り方向の横振れを防止するのに、出入り口の床面にレールを取り付けると共に、吊り引戸を開位置から閉め方向に移動させた際に該レールに係合して吊り引戸の振れを防止する係合片を吊り引戸の下面側に設けるようにすると、床をバリアフリーにすることができないという問題が生じる。
【０００３】
そこで、吊り引戸の出入り方向の横振れを防止し且つ床をバリアフリーにすることができる振止め装置として、出入り口の床の、吊り引戸の移動経路に、床面に対して上下方向に出退自在で且つ磁石を備えたガイド突起を吊り引戸の開閉方向に間隔をおいて設けると共に、吊り引戸の下面側に、前記ガイド突起に引戸開閉方向に移動自在に嵌合可能で且つガイド突起の磁石に吸着する材質によって形成された長溝レールを埋設して設け、吊り引戸を開けている時には、ガイド突起は、床面から下方に退避しており、吊り引戸を閉める際にあっては、長溝レールがガイド突起の上方に位置すると、ガイド突起が磁石の吸引作用によって床面から上方に突出して長溝レールに嵌合することにより、吊り引戸の振れを防止するように構成された吊り引戸の振止め装置がある（特許文献１参照）。
【０００４】
前記ガイド突起は、支持部材内に収納されると共に該支持部材に上下動自在に支持されており、このガイド突起及び該ガイド突起を支持する支持部材からなるガイド装置を、床に形成した開口部を介して床面から下方に没入するように配置すると共に支持部材を床側に取付固定している。
【特許文献１】特開平３−１８０６８２号公報
【発明の開示】
【発明が解決しようとする課題】
【０００５】
前記従来の吊り引戸の振止め装置にあっては、吊り引戸で開閉される出入り口の床をバリアフリーにするために、前記ガイド装置を、床に形成した開口部を介して床面から下方に没入するように配置すると共に支持部材を床側に取付固定しなければならず、前記ガイド装置の取り付けや床に形成される開口部の加工の手間が煩雑であるという問題がある。
また、長溝レールを吊り引戸の下面側に埋設するための掘り込み溝を開閉方向に長く形成しなければならず、吊り引戸に対する加工の手間が大きいという問題もある。
そこで、本発明は、前記問題点に鑑みて、吊り引戸で開閉される出入り口の床をバリアフリーにすることができる吊り引戸の振止め装置であって、取付の簡単な吊り引戸の振止め装置を提供することを目的とする。
【課題を解決するための手段】
【０００６】
前記技術的課題を解決するために本発明が講じた技術的手段は、上部が開閉方向に移動自在に支持された吊り引戸の振止め装置であって、
吊り引戸の下面側の、引戸開閉方向中途部に取り付けられる係合部材と、この係合部材が係合する被係合溝を有していて吊り引戸の出入り方向の横振れを規制する振止め部材と、開位置における吊り引戸の閉方向前端側の下方に配置されて床に取付固定され且つ前記振止め部材を引戸開閉方向に移動自在に支持する支持部材とを備え、
前記被係合溝は係合部材が引戸開閉方向に移動自在に係合するように引戸開閉方向に沿って形成されており、吊り引戸が開位置にあるときにおいて振止め部材は吊り引戸の下方側に位置しており、
吊り引戸を閉める際には、係合部材が被係合溝内を引戸閉方向に移動すると共に該係合部材が被係合溝の引戸閉方向の端部に至ると振止め部材が吊り引戸と一体移動し、
吊り引戸を開ける際には、係合部材が被係合溝内を引戸開方向に移動すると共に該係合部材が被係合溝の引戸開方向の端部に至ると振止め部材が吊り引戸と一体移動するように構成されていることを特徴とする。
【０００７】
また、支持部材に、振止め部材を引戸開閉方向に移動自在に挿通させる挿通溝が形成されていて、支持部材と振止め部材と被係合溝とが引戸開閉方向に直交する水平方向でオーバーラップするように構成されているのがよい。
また、振止め部材は、支持部材の挿通溝に引戸開閉方向に移動自在に挿通されるレール部材と、このレール部材の引戸開閉方向の各端部にそれぞれ設けられた端具とから構成され、吊り引戸の開位置又は閉位置において端具が支持部材に接当することでレール部材の移動が規制されるように構成されているのがよい。
【発明の効果】
【０００８】
本発明によれば、支持部材は開位置における吊り引戸の閉方向前端側の下方に配置されて床に取付固定され、吊り引戸が開位置にあるときには、振止め部材は吊り引戸の下方側に位置しており、吊り引戸を閉める際に、係合部材が被係合溝内を引戸閉方向に移動すると共に該係合部材が被係合溝の引戸閉方向の端部に至ると振止め部材が吊り引戸と一体移動し、吊り引戸を開ける際に、係合部材が被係合溝内を引戸開方向に移動すると共に該係合部材が被係合溝の引戸開方向の端部に至ると振止め部材が吊り引戸と一体移動するように構成されているので、吊り引戸の出入り方向の横振れを防止でき且つ出入り口の床をバリアフリーにすることができ、しかも、従来の振止め装置のように、ガイド突起を支持する支持部材を床面より下側に収納するために床に加工をしたり、引戸の下面側に長溝レールを埋設するために掘り込み溝を引戸開閉方向に長く形成する必要がなく、取り付けが簡単である振止め装置を提供することができる。
【発明を実施するための最良の形態】
【０００９】
以下、本発明の実施の形態を図面を参照して説明する。
図３及び図４において、１は建物の壁２等に形成された出入り口（開口部）３の開口面に沿う方向の水平方向（引戸開閉方向）Ｂに移動することで該出入り口３を開閉する引戸であり、この引戸１は、その上部が出入り口３を囲む開口枠４の上部を構成する上枠５に取り付けられたハンガーレール６に吊り車７等を介して引戸開閉方向Ｂに移動自在に支持されている吊り引戸によって構成されている。
この吊り引戸１の下端側と床８との間には、吊り引戸１の下部側が出入り口３の開口面に直交する方向である出入り方向（引戸開閉方向Ｂに直交する水平方向）Ｃに振れ動くのを防止する振止め装置９が設けられている。
【００１０】
この振止め装置９は、図１及び図２に示すように、吊り引戸１の下面側に取り付けられる係合部材１０と、この係合部材１０に係合して吊り引戸１の出入り方向Ｃの横振れを規制する振止め部材１１と、この振止め部材１１を引戸開閉方向Ｂに移動自在に支持する支持部材１２とを備えている。
前記係合部材１０は、吊り引戸１の下面側の、引戸開閉方向Ｂ中間部（引戸開閉方向Ｂ中央部又は該中央部近傍）に取り付けられている。
なお、本実施の形態では、係合部材１０は吊り引戸１の下面側の引戸開閉方向Ｂ中央部に取り付けられているが、該係合部材１０は、吊り引戸１の下面側の、引戸開閉方向Ｂの中途部に設けられていればよい。
【００１１】
この係合部材１０は、吊り引戸１の下面側に取り付けられる取付装置１３に設けられている。
この取付装置１３は、下端側が開口したケース１４と、このケース１４内に下端開口から挿入されて上下方向移動自在に支持された支軸１５とを備えており、係合部材１０は前記支軸１５の下端側に固定されている。
前記ケース１４は、上端側が閉塞され下端が開口状とされた有底円筒状の本体１４ａと、この本体１４ａの下端側において径方向外方に延出するフランジ部１４ｂとから構成されており、吊り引戸１の下面側に形成された掘込み部１６に下方側から没入状に挿入されて吊り引戸１に埋設されると共に該吊り引戸１に固定されており、下面が吊り引戸１の下面と面一状とされている。
【００１２】
このケース１４内の下端側には上下方向の軸心を通する支持筒１７が挿入されて固定され、前記支軸１５は該支持筒１７を上下方向移動自在に挿通しており、該支軸１５の上端側には、支持筒１７の上面側に接当することにより支軸１５の抜止めを図る抜止め部材１８が設けられ、この抜止め部材１８とケース１４内部の上面との間に圧縮コイルバネからなるバネ部材１９が介装されていて、支軸１５が下方に付勢されている。
係合部材１０は、下部の径小部２１と、この径小部２１よりも径大な上部の径大部２２とから上下方向の軸心を有する段付き円柱状に形成されており、ケース１４の下方側に配置されていて吊り引戸１下面から下方に突出状とされていると共に支軸１５を介してケース１４側に上下動自在に支持されており、本実施の形態では、径大部２２がケース１４の下面側に接当することによりその上方移動が規制され、抜止め部材１８が支持筒１７の上面に接当することによりその下方移動が規制されるように構成されている。
【００１３】
なお、前記係合部材１０を、接着剤又はネジ等の固定手段によって吊り引戸１の下面側に固定するようにしてもよい。
振止め部材１１は、引戸開閉方向Ｂに長い長尺に形成され、本実施の形態では、吊り引戸１の引戸開閉方向Ｂの幅の略半分の長さに形成されている。
この振止め部材１１は、引戸開閉方向Ｂに長い長尺のレール部材２３と、このレール部材２３の長手方向の各端部（引戸開閉方向Ｂの各端部）にそれぞれ設けられた端具２４Ａ，２４Ｂとから主構成されており、該振止め部材１１の引戸出入り方向Ｃ中央部に、上方に開口状とされていて前記係合部材１０が上方側から没入状に係合（嵌合）する被係合溝２５が一方の端具２４Ａから他方の端具２４Ｂにわたって形成されている。
【００１４】
前記被係合溝２５は、係合部材１０の径小部２１が嵌合する狭溝部２６と、係合部材１０の径大部２２が嵌合する広溝部２７とからなる段付き溝に形成されており、また、被係合溝２５の長手方向端部、すなわち端具２４Ａ，２４Ｂに形成されている部分は、円形状の係合部材１０に略一致する円弧状に形成されている。
係合部材１０は被係合溝２５に嵌合した状態で、振止め部材１１に対して引戸開閉方向Ｂに相対移動自在であり、且つ係合部材１０の引戸出入り方向Ｃの位置移動が規制されるように構成されている。
【００１５】
レール部材２３の長手方向両側には、引戸出入り方向Ｃ一対の被取付部２８が設けられていると共に、各端具２４Ａ，２４Ｂには、前記一対の被取付部２８が嵌め込まれる嵌合部２９が形成されており、振止め部材１１の長手方向外方側から端具２４Ａ，２４Ｂの壁部を貫通して被取付部２８に形成したねじ穴に螺合されるビス３０によって端具２４Ａ，２４Ｂがレール部材２３に取付固定されている。
また、各端具２４Ａ，２４Ｂは、レール部材２３から引戸出入り方向Ｃ両側に突出する幅に形成されていると共に、下面がレール部材２３の下面よりも下方に位置する厚さに形成されている。
【００１６】
また、レール部材２３の引戸出入り方向Ｃ両側の側面の上下方向略中央部には、嵌合溝３１がレール部材２３の長手方向一端から他端にわたって形成されている。
また、レール部材２３の上面側の引戸出入り方向Ｃ両側には、上方及び引戸出入り方向Ｃ外方に開放状とされ且つ前記被係合溝２５を挟むようにして設けられた案内溝３５がレール部材２３の長手方向一端から他端にわたって形成されていて、該レール部材２３の、該案内溝３５と被係合溝２５の広溝部２７との間で且つ端具２４Ａ，２４Ｂ間に、引戸出入り方向Ｃ一対の案内壁３２が設けられている。
【００１７】
なお、端具２４Ａ，２４Ｂの上面はレール部材２３の案内壁３２の上面と面一状とされており、案内壁３２の長手方向の端面は、端具２４Ａ，２４Ｂの、レール部材２３長手方向の対向側の端面に接当している。
また、レール部材２３の長手方向一端側（図例では、引戸閉め方向Ｄの端部側）には、支持部材１２を取り付けるためのネジ３３の頭部を挿通可能なネジ挿通穴３４がレール部材２３長手方向に一対形成されている。
支持部材１２は、開位置（出入り口３を開放する位置、図４（ａ）の実線参照）における吊り引戸１の閉方向Ｄ前端側の下方に配置されていて、床８の上面に取付固定されており、吊り引戸１の出入り方向Ｃの厚さと略同様の幅（吊り引戸１の出入り方向Ｃの厚さと一致する幅、吊り引戸１の出入り方向Ｃの厚さよりも若干幅狭、又は、吊り引戸１の出入り方向Ｃの厚さよりも若干幅広）に形成されている。
【００１８】
この支持部材１２は、床８の上面に接当する底壁３６と、この底壁３６の引戸出入り方向Ｃ両側から上方に延出する一対の側壁３７と、各側壁３７の上端側から引戸出入り方向Ｃ内方に延出する一対の上壁３８とから上方に開放状の断面Ｃ字形に形成されている。
この支持部材１２の底壁３６には、ネジ３３の頭部が挿通不能なネジ挿通孔３９が引戸開閉方向Ｂに一対形成され、このネジ挿通孔３９を挿通して床８にねじ込まれるネジ３３によって支持部材１２が床８の上面に取付固定されている。
また、支持部材１２の内部には、前記底壁３６、側壁３７及び上壁３８によって囲まれた挿通溝４０が形成され、該挿通溝４０は引戸開閉方向Ｂ両側が開放状で且つ上壁３８間が上方に開放状とされており、この挿通溝４０に前記振止め部材１１のレール部材２３が引戸開閉方向Ｂに移動自在に挿通されており、上壁３８の対向面にレール部材２３の案内壁３２が摺接している。
【００１９】
また、支持部材１２の各側壁３７の内面には、振止め部材１１のレール部材２３の嵌合溝３１に嵌合する嵌合突部４１が引戸開閉方向Ｂの一端から他端にわたって形成されている。
引戸開閉方向Ｂから見た挿通溝４０の形状は、レール部材２３を長手方向に直交する方向で切断した断面の外形状に一致しており、支持部材１２にレール部材２３が引戸開閉方向Ｂに移動自在で且つ引戸出入り方向Ｃ及び上下方向に移動不能に支持されている。
また、支持部材１２の引戸出入り方向Ｃの幅は、振止め部材１１の端具２４Ａ，２４Ｂの引戸出入り方向Ｃの幅と略同幅に形成されており、端具２４Ａ，２４Ｂが支持部材１２に接当することにより、レール部材２３の引戸開閉方向Ｂの移動が規制されるように形成されている。
【００２０】
レール部材２３に設けられたネジ挿通穴３４は、振止め部材１１の引戸閉め方向Ｄの端部側に位置する端具２４Ａが支持部材１２に接当した状態で、支持部材１２のネジ挿通孔３９に一致する位置に形成され、ネジ挿通穴３４を通してネジ挿通孔３９にネジ３３を挿通することができるように構成されており、支持部材１２に振止め部材１１を組み付けた状態で、支持部材１２を床８に取付固定できるように構成されている。
なお、レール部材２３を引戸開閉方向Ｂに対して前後逆向きにして該レール部材２３が支持部材１２から引戸閉め方向Ｄに突出するように配置した状態で支持部材１２を床８に取付固定するようにしてもよく、また、レール部材２３に設けられる一対のネジ挿通穴３４を、レール部材２３の引戸開方向Ｅの端部側にも形成してもよい。
【００２１】
また、本実施の形態では、支持部材１２が床８に取り付けられた状態で、振止め部材１１が床８の上面から上方に間隔をおいて配置されるように構成され、端具２４Ａ，２４Ｂの下面と床８の上面との間に若干の隙間（例えば、１ｍｍ）が形成されるように構成されている。
また、前記振止め部材１１は、引戸出入り方向Ｃから見て支持部材１２とオーバーラップしていて、被係合溝２５も引戸出入り方向Ｃから見て支持部材１２とオーバーラップしており、これによって、支持部材１２と振止め部材１１との組付体を上下方向に薄型に形成でき、吊り引戸１の下面と床８の上面との間隔（隙間）を極力狭くすることができる。
【００２２】
前記振止め部材１１のレール部材２３はアルミ等の金属製の押出型材によって形成され、振止め部材１１の端具２４Ａ，２４Ｂ及び支持部材１２は樹脂によって形成される。
本実施の形態の振止め装置９にあっては、吊り引戸１が開位置にあるときにおいて、振止め部材１１の引戸閉方向Ｄの端部側の端具２４Ａが支持部材１２に接当しており、振止め部材１１が吊り引戸１の下方側に位置しており、係合部材１０が被係合溝２５の引戸開方向Ｅの端部に位置している。
この状態から、吊り引戸１を閉位置（出入り口３を塞ぐ位置、図４（ａ）の仮想線参照）に移動させると、吊り引戸１が出入り口３の引戸開閉方向Ｂ中途部に移動するまでは係合部材１０が被係合溝２５内を引戸閉方向Ｄに移動して吊り引戸１の出入り方向Ｃの振れが規制され、係合部材１０が被係合溝２５の引戸閉方向Ｄの端部に至ると、その後は、吊り引戸１が閉位置に至るまで振止め部材１１が引戸閉方向Ｄに吊り引戸１と一体移動して吊り引戸１の出入り方向Ｃの振れが規制される。
【００２３】
また、本実施の形態にあっては、吊り引戸１を閉めた状態において、図４（ｂ）に仮想線で示すように、振止め部材１１の引戸開方向Ｅの端部側の端具２４Ｂが支持部材１２に接当するように構成されている。
なお、振止め部材１１の引戸開方向Ｅの端部側の端具２４Ｂが支持部材１２に接当した状態で、吊り引戸１と、開口枠４の引戸閉め側の縦枠４２との間に若干の隙間（例えば、１ｍｍ程度の隙間）ができるように、支持部材１２の取付位置を調整することにより、吊り引戸１が引戸閉め側の縦枠４２に接当する前に吊り引戸１の閉方向Ｄの移動を止めることができ、吊り引戸１が引戸閉め側の縦枠４２に衝当することによる衝当音や、吊り引戸１が引戸閉め側の縦枠４２に衝当した際の反動によって吊り引戸１が引戸開方向Ｅに移動するのを防止することができる。
【００２４】
また、吊り引戸１を閉位置から開位置に移動させる場合は、吊り引戸１が出入り口３の引戸開閉方向Ｂ中途部に移動するまでは係合部材１０が被係合溝２５内を引戸開方向Ｅに移動して吊り引戸１の出入り方向Ｃの振れが規制され、係合部材１０が被係合溝２５の引戸開方向Ｅの端部に至ると、その後は、吊り引戸１が開位置に至るまで振止め部材１１が引戸開方向Ｅに吊り引戸１と一体移動して吊り引戸１の出入り方向Ｃの振れが規制される。
なお、図１に仮想線で示すように、振止め部材１１の引戸閉方向Ｄの端部、及び／又は、引戸開方向Ｅの端部に、床８の上面を転動して振止め部材１１を支持する支持車４３を設けてもよい。
【００２５】
また、前記図１〜図４は、振止め装置９を片引戸の吊り引戸１に採用した場合を示しているが、図５（ａ）に示す引違い戸の吊り引戸１に前記振止め装置９を採用してもよく、この場合、一対の吊り引戸１のオーバーラップ部分４４の範囲内に支持部材１２等が収められる。
また、図５（ｂ）に示すように、振止め部材１１の引戸閉方向Ｄ端部側に、吊り引戸１が縦枠４２に強く当たるのを緩和する緩衝部材４６を設けてもよい。
この緩衝部材４６は、図例のものでは、樹脂、バネ部材等の弾性帯板材から形成されていると共に被係合溝２５の引戸閉方向Ｄの端部側に嵌め込まれ且つ引戸開閉方向Ｂ中途部に対向間隔Ｌが係合部材１０の径小部２１の直径よりも幅狭となる幅狭部４７を有しており、吊り引戸１を引戸閉め方向Ｄに移動させる際に、係合部材１０の径小部２１が幅狭部４７に係合することにより振止め部材１１が吊り引戸１と一体移動し、引戸開方向Ｅの端部側の端具２４Ｂが支持部材１２に接当すると、その後は径小部２１が緩衝部材４６を弾性変形させながら幅狭部４７を通過することにより吊り引戸１の移動速度を緩めて吊り引戸１が縦枠４２に強く当たるのを緩和するように構成されている。
【００２６】
なお、この緩衝部材４６は引戸開方向Ｅ端部側にも設けてもよい。
【図面の簡単な説明】
【００２７】
【図１】吊り引戸の下部及び振止め装置の側面図であって、（ａ）は全体側面図、（ｂ）は断面図である。
【図２】（ａ）は振止め装置の支持部材及び振止め部材の全体平面図、（ｂ）は振止め装置の支持部材及び振止め部材の平面断面図、（ｃ）はＡ−Ａ線矢示断面図である。
【図３】吊り引戸の正面図である。
【図４】（ａ）は吊り引戸と出入り口との関係を示す平面図、（ｂ）は振止め部材及び支持部材と出入り口との関係を示す平面図である。
【図５】（ａ）は引違い戸の平面図、（ｂ）は被係合溝に緩衝部材を設けた場合の平面図である。
【符号の説明】
【００２８】
１      吊り引戸
８      床
１０      係合部材
１１      振止め部材
１２      支持部材
２３      レール部材
２４Ａ    端具
２４Ｂ    端具
２５      被係合溝
Ｂ      引戸開閉方向
Ｃ      引戸出入り方向
Ｄ      引戸閉方向
Ｅ      引戸開方向
【図１】
2007107277.tif 000003
【図２】
2007107277.tif 000004
【図３】
2007107277.tif 000005
【図４】
2007107277.tif 000006
【図５】
2007107277.tif 000007